【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
画像形成装置のユーザ毎に、読み取り設定及び画像データを配信するための配信設定を含むシナリオを記憶したシナリオ記憶装置に、前記画像形成装置から送信されたシナリオが記憶されているか否かに基づき該シナリオの正当性を判定するシナリオ判定手段と、シナリオが正当である場合に配信設定に基づき画像データを配信する配信手段と、を有する画像配信装置に、
画像データとシナリオを送信する画像形成装置であって、
ユーザ毎に利用権限情報が記憶された利用権限情報記憶手段と、
前記シナリオ記憶装置からユーザが使用可能なシナリオを呼び出すシナリオ呼出手段と、
前記シナリオ呼出手段が呼び出したシナリオの実行が、前記利用権限情報により許可されているか否かを判定する実行可否判定手段と、
前記実行可否判定手段により実行不可と判定された場合、前記利用権限情報に許可された範囲でシナリオを変更する設定変更手段と、
前記設定変更手段により変更されたシナリオを、前記シナリオ記憶装置に記憶させるシナリオ記憶要求手段と、
前記設定変更手段により変更されたシナリオを、前記画像配信装置に送信する送信手段と、を有することを特徴とする画像形成装置。
【請求項２】
前記画像配信装置が画像データを配信した後、
前記シナリオ記憶要求手段が前記シナリオ記憶装置に記憶させたシナリオの削除を、前記シナリオ記憶装置に要求するシナリオ削除手段、
を有することを特徴とする請求項１記載の画像形成装置。
【請求項３】
前記シナリオ記憶要求手段が前記シナリオ記憶装置に記憶させたシナリオを、削除するか否かを受け付ける削除受け付け手段を有する、
ことを特徴とする請求項２記載の画像形成装置。
【請求項４】
前記シナリオ記憶要求手段は、前記設定変更手段により変更されたシナリオを、前記シナリオ記憶装置に記憶された変更前のシナリオに上書きして記憶させる、
ことを特徴とする請求項１記載の画像形成装置。
【請求項５】
前記シナリオ記憶装置に記憶された変更前のシナリオが上書きされたことを、ユーザに通知する上書き通知手段、
を有することを特徴とする請求項４記載の画像形成装置。
【請求項６】
前記設定変更手段により変更されたシナリオを、前記シナリオ記憶装置に記憶された変更前のシナリオに上書きして記憶させるか、又は、前記シナリオ記憶装置に記憶されている変更前のシナリオとは別のシナリオとして記憶せるか、を受け付ける登録方法受け付け手段、を有することを特徴とする請求項１記載の画像形成装置。
【請求項７】
前記シナリオ呼出手段が呼び出したシナリオが変更されたことをユーザに通知するシナリオ変更通知手段、
を有することを特徴とする請求項１〜６いずれか１項記載の画像形成装置。
【請求項８】
原稿を読み取って画像データを生成する画像形成装置と、
前記画像形成装置のユーザ毎に、読み取り設定及び画像データを配信するための配信設定を含むシナリオを記憶したシナリオ記憶装置と、
配信設定に基づき画像データを配信する画像配信装置と、がネットワークを介して接続された画像形成装置利用システムであって、
前記画像形成装置は、
ユーザ毎に利用権限情報が記憶された利用権限情報記憶手段と、
前記シナリオ記憶装置からユーザが使用可能なシナリオを呼び出すシナリオ呼出手段と、
前記シナリオ呼出手段が呼び出したシナリオの実行が、前記利用権限情報により許可されているか否かを判定する実行可否判定手段と、
前記実行可否判定手段により実行不可と判定された場合、前記利用権限情報に許可された範囲でシナリオを変更する設定変更手段と、
前記設定変更手段により変更されたシナリオを、前記シナリオ記憶装置に記憶させるシナリオ記憶要求手段と、
前記設定変更手段により変更されたシナリオを、前記画像配信装置に送信する送信手段と、を有し
前記画像配信装置は、
前記画像形成装置から送信されたシナリオの正当性を、該シナリオが前記シナリオ記憶装置に記憶されているか否かに基づき判定するシナリオ判定手段と、
シナリオが正当であると判定した場合、配信設定に基づき画像データを配信する画像データ配信手段と、を有することを特徴とする画像形成装置利用システム。
【請求項９】
画像形成装置から送信されたシナリオが記憶されているか否かに基づき該シナリオの正当性を判定するシナリオ判定手段と、シナリオが正当である場合に配信設定に基づき画像データを配信する配信手段と、を有する画像配信装置に、画像データとシナリオを送信する画像形成装置の画像データ生成方法において、
シナリオ呼出手段が、当該画像形成装置のユーザ毎に、読み取り設定及び画像データを配信するための配信設定を含むシナリオを記憶したシナリオ記憶装置から、ユーザが使用可能なシナリオを呼び出すステップと、
前記シナリオ呼出手段が呼び出したシナリオの実行が、利用権限情報記憶手段にユーザ毎に記憶された利用権限情報が記憶により許可されているか否かを、実行可否判定手段が判定するステップと、
前記実行可否判定手段により実行不可と判定された場合、設定変更手段が、前記利用権限情報に許可された範囲でシナリオを変更するステップと、
シナリオ記憶要求手段が、前記設定変更手段により変更されたシナリオを、前記シナリオ記憶装置に記憶させるステップと、
送信手段が、前記設定変更手段により変更されたシナリオを、前記画像配信装置に送信するステップと、を有することを特徴とする画像データ生成方法。
【請求項１０】
原稿を読み取って画像データを生成する画像形成装置と、前記画像形成装置のユーザ毎に、読み取り設定及び画像データを配信するための配信設定を含むシナリオを記憶したシナリオ記憶装置と、配信設定に基づき画像データを配信する画像配信装置と、がネットワークを介して接続された画像形成装置利用システムの画像データ生成方法であって、
シナリオ呼出手段が、当該画像形成装置のユーザ毎に、読み取り設定及び画像データを配信するための配信設定を含むシナリオを記憶したシナリオ記憶装置から、ユーザが使用可能なシナリオを呼び出すステップと、
前記シナリオ呼出手段が呼び出したシナリオの実行が、利用権限情報記憶手段にユーザ毎に記憶された利用権限情報が記憶により許可されているか否かを、実行可否判定手段が判定するステップと、
前記実行可否判定手段により実行不可と判定された場合、設定変更手段が、前記利用権限情報に許可された範囲でシナリオを変更するステップと、
シナリオ記憶要求手段が、前記設定変更手段により変更されたシナリオを、前記シナリオ記憶装置に記憶させるステップと、
送信手段が、前記設定変更手段により変更されたシナリオを、前記画像配信装置に送信するステップと、
前記画像配信装置が、前記画像形成装置から送信されたシナリオの正当性を、該シナリオが前記シナリオ記憶装置に記憶されているか否かに基づき判定するステップと、
シナリオが正当であると判定した場合、配信設定に基づき画像データを配信するステップと、を有することを特徴とする画像データ生成方法。
【手続補正２】
【補正対象書類名】明細書
【補正対象項目名】０００８
【補正方法】変更
【補正の内容】
【０００８】
上記課題に鑑み、本発明は、画像形成装置のユーザ毎に、読み取り設定及び画像データを配信するための配信設定を含むシナリオを記憶したシナリオ記憶装置に、前記画像形成装置から送信されたシナリオが記憶されているか否かに基づき該シナリオの正当性を判定するシナリオ判定手段と、シナリオが正当である場合に配信設定に基づき画像データを配信する配信手段と、を有する画像配信装置に、画像データとシナリオを送信する画像形成装置であって、ユーザ毎に利用権限情報が記憶された利用権限情報記憶手段と、前記シナリオ記憶手段からユーザが使用可能なシナリオを呼び出すシナリオ呼出手段と、前記シナリオ呼出手段が呼び出したシナリオの実行が、前記利用権限情報により許可されているか否かを判定する実行可否判定手段と、前記実行可否判定手段により実行不可と判定された場合、前記利用権限情報に許可された範囲でシナリオを変更する設定変更手段と、前記設定変更手段により変更されたシナリオを、前記シナリオ記憶手段に記憶させるシナリオ記憶要求手段と、前記設定変更手段により変更されたシナリオを、前記画像配信装置に送信する送信手段と、を有することを特徴とする。